(57)【要約】【課題】  不正行為等による異常動作を確実に検出する。【解決手段】  本発明に係る遊技機は、遊技機の動作を統括的に制御する主制御装置３３と、遊技盤５の前面側に配設された画像表示装置８の表示部９の画像や音響装置の効果音の演出及び電飾装置４３の表示を制御するサブ制御装置３４と、遊技領域７に配設された入賞装置１１，１２への遊技球の入賞を検出するための検出手段３９，４０と、画像表示装置８の表示部９に設けられたエラー表示手段４６とを備え、検出手段３９，４０は、コネクタを介して電気的に接続されており、該コネクタの抜脱をエラー検出信号として出力し、該エラー検出信号に基づき、主制御装置３３がサブ制御装置３４に制御コマンドを出力し、該制御コマンドに基づき、サブ制御装置３４がエラー表示手段４６にエラー表示を出力させるように構成されていることを特徴とする。【選択図】  図４
2006271470.tif 000002
【特許請求の範囲】
【請求項１】
異常動作時にエラー表示を出力可能なように設けられた遊技機であって、
遊技機の動作を統括的に制御する主制御装置と、
遊技盤の前面側に配設された画像表示装置の表示部の画像や音響装置の効果音の演出及び電飾装置の表示を制御するサブ制御装置と、
遊技領域に配設された入賞装置への遊技球の入賞を検出するための検出手段と、
前記画像表示装置の表示部に設けられたエラー表示手段と、
を備え、前記検出手段は、コネクタを介して電気的に接続されており、該コネクタの抜脱をエラー検出信号として出力し、該エラー検出信号に基づき、前記主制御装置が前記サブ制御装置に制御コマンドを出力し、該制御コマンドに基づき、前記サブ制御装置が前記エラー表示手段にエラー表示を出力させるように構成されていることを特徴とする遊技機。
【請求項２】
異常動作時にエラー表示を出力可能なように設けられた遊技機であって、
遊技機の動作を統括的に制御する主制御装置と、
遊技盤の前面側に配設された画像表示装置の表示部の画像や音響装置の効果音の演出及び電飾装置の表示を制御するサブ制御装置と、
遊技領域に配設された入賞装置への遊技球の入賞を検出するための検出手段と、
前記電飾装置に設けられたエラー表示手段と、
を備え、前記検出手段は、コネクタを介して電気的に接続されており、該コネクタの抜脱をエラー検出信号として出力し、該エラー検出信号に基づき、前記主制御装置が前記サブ制御装置に制御コマンドを出力し、該制御コマンドに基づき、前記サブ制御装置が前記エラー表示手段にエラー表示を出力させるように構成されていることを特徴とする遊技機。
【請求項３】
異常動作時にエラー表示を出力可能なように設けられた遊技機であって、
遊技機の動作を統括的に制御する主制御装置と、
遊技盤の前面側に配設された画像表示装置の表示部の画像や音響装置の効果音の演出及び電飾装置の表示を制御するサブ制御装置と、
遊技領域に配設された入賞装置への遊技球の入賞を検出するための検出手段と、
を備え、前記検出手段は、コネクタを介して電気的に接続されており、該コネクタの抜脱をエラー検出信号として出力し、該エラー検出信号に基づき、前記主制御装置が前記サブ制御装置に制御コマンドを出力し、該制御コマンドに基づき、前記サブ制御装置が前記音響装置にエラーメッセージ音声を出力させるように構成されていることを特徴とする遊技機。
【発明の詳細な説明】
【技術分野】
【０００１】
本発明は、パチンコ遊技機やスロットマシン等の遊技機であって、特に、異常動作時にエラー表示を出力可能なように設けられた遊技機に関する。
【背景技術】
【０００２】
従来、例えば、パチンコ遊技機においては、遊技領域に始動入賞口や大入賞口等の各種入賞装置が配設されており、これらの入賞装置には近接センサ等の検出スイッチが設けられている。そして、この検出スイッチは、前記入賞装置に入賞した遊技球を検出すると、所定電圧以上の検出信号を出力し、この検出信号に基づき、球払出装置が遊技者に所定数の賞球を払い出し、遊技者に利益を供与するようになっている（例えば、特許文献１参照）。
【０００３】
また、スロットマシンにおいては、検出スイッチは、遊技メダルの投入を検出すると、所定電圧以上の検出信号を出力し、この検出信号に基づき、ベット操作が有効となり、遊技者が遊技を開始できるようになっている。
【特許文献１】特開２００２−１３６７３６号公報
【発明の開示】
【発明が解決しようとする課題】
【０００４】
しかしながら、上記した従来の遊技機において、前記検出スイッチは、コネクタを介して電気的に接続されており、このコネクタが抜脱されると、所定電圧以上の信号を出力するようになっているため、実際には遊技球や遊技メダル等を検出していない場合でも、誤って遊技球や遊技メダルの検出信号を出力し、その結果、賞球が払い出されたり、ベット操作が有効にされたりするおそれがあった。したがって、意図的にコネクタを抜き挿しして、賞球を獲得したり、ベット操作を行ったりする不正行為を行う遊技者が出現するおそれがあるといった問題があった。
【０００５】
本発明は、上記した課題を解決すべくなされたものであり、不正行為等による異常動作を確実に検出し、エラー表示を出力することのできる遊技機を提供しようとするものである。
【課題を解決するための手段】
【０００６】
本発明は、異常動作時にエラー表示を出力可能なように設けられた遊技機であって、遊技機の動作を統括的に制御する主制御装置３３と、遊技盤５の前面側に配設された画像表示装置８の表示部９の画像や音響装置２２の効果音の演出及び電飾装置４３の表示を制御するサブ制御装置３４と、遊技領域７に配設された入賞装置１１，１２への遊技球の入賞を検出するための検出手段３９，４０と、画像表示装置８の表示部９に設けられたエラー表示手段４６とを備え、検出手段３９，４０は、コネクタを介して電気的に接続されており、該コネクタの抜脱をエラー検出信号として出力し、該エラー検出信号に基づき、主制御装置３３がサブ制御装置３４に制御コマンドを出力し、該制御コマンドに基づき、サブ制御装置３４がエラー表示手段４６にエラー表示を出力させるように構成されていることを特徴とする。
【０００７】
また、本発明は、異常動作時にエラー表示を出力可能なように設けられた遊技機であって、遊技機の動作を統括的に制御する主制御装置３３と、遊技盤５の前面側に配設された画像表示装置８の表示部９の画像や音響装置２２の効果音の演出及び電飾装置４３の表示を制御するサブ制御装置３４と、遊技領域７に配設された入賞装置１１，１２への遊技球の入賞を検出するための検出手段３９，４０と、電飾装置４３に設けられたエラー表示手段４６とを備え、検出手段３９，４０は、コネクタを介して電気的に接続されており、該コネクタの抜脱をエラー検出信号として出力し、該エラー検出信号に基づき、主制御装置３３がサブ制御装置３４に制御コマンドを出力し、該制御コマンドに基づき、サブ制御装置３４がエラー表示手段４６にエラー表示を出力させるように構成されていることを特徴とする。
【０００８】
さらに、本発明は、異常動作時にエラー表示を出力可能なように設けられた遊技機であって、遊技機の動作を統括的に制御する主制御装置３３と、遊技盤５の前面側に配設された画像表示装置８の表示部９の画像や音響装置２２の効果音の演出及び電飾装置４３の表示を制御するサブ制御装置３４と、遊技領域７に配設された入賞装置１１，１２への遊技球の入賞を検出するための検出手段３９，４０とを備え、検出手段３９，４０は、コネクタを介して電気的に接続されており、該コネクタの抜脱をエラー検出信号として出力し、該エラー検出信号に基づき、主制御装置３３がサブ制御装置３４に制御コマンドを出力し、該制御コマンドに基づき、サブ制御装置３４が音響装置２２にエラーメッセージ音声を出力させるように構成されていることを特徴とする。
【発明の効果】
【０００９】
本発明によれば、検出手段においてコネクタの抜脱はエラー検出信号として出力され、このエラー検出信号に基づき、遊技盤の前面側の画像表示装置の表示部や電飾装置のエラー表示手段にエラー表示が出力されたり、音響装置からエラーメッセージ音声が出力されたりするようになるため、店員等の管理者がその後の処置を迅速且つ適切に行うことができ、遊技機の保守管理の効率化及び保守管理コストの低減化を図ることが可能となる。
【００１０】
また、意図的にコネクタを抜き挿しして、賞球を獲得したり、ベット操作を行ったりする不正行為を防止することができ、遊技機の動作の信頼性の向上を図ることができる等、種々の優れた効果を得ることができる。
【発明を実施するための最良の形態】
【００１１】
以下、図１〜図４を参照しつつ、本発明の実施の形態に係る遊技機について説明する。なお、以下の説明では、本発明をパチンコ遊技機に適用した場合について例示して説明する。ここで、図１はガラス扉及び球皿を開放した状態におけるパチンコ遊技機を示す正面図、図２はパチンコ遊技機の球皿を示す背面図、図３はパチンコ遊技機の背面図、図４はパチンコ遊技機の構成を示すブロック図である。
【００１２】
このパチンコ遊技機は、外郭方形枠サイズに形成されて縦向きの固定保持枠を成す外枠１の開口前面に、外枠１に合わせて方形枠サイズに形成された開閉搭載用の前枠２が、外枠１の正面左側上下に取り付けられたヒンジ金具３ａ，３ｂによって外枠１に対して開閉可能に取り付けられていると共に、外枠１の正面右側に設けられた施錠装置４により閉鎖状態に保持されるようになっている。
【００１３】
前枠２の上部領域には、遊技盤５が収容されており、遊技盤５は、所定板厚の積層合板の表面にセルを貼り付けてルーター加工した化粧版を基板とし、その前面側には、環状に取り付けられたガイドレール６に囲まれて、略円形状の遊技領域７が形成されている。遊技領域７には、その略中央部に画像表示装置８の表示部９が配置されており、画像表示装置８の表示部９の周りには、センター飾り１０、及び始動入賞口１１や大入賞口１２等の入賞装置がそれぞれ配設されている。そして、始動入賞口１１には始動入賞口検出スイッチ３９が取付けられ、大入賞口１２には大入賞口検出スイッチ４０が取付けられ、始動入賞口検出スイッチ３９及び大入賞口検出スイッチ４０には、それぞれ、コネクタ（図示せず）を介してハーネス（図示せず）が電気的に接続されている。また、遊技領域７の下端部には、アウト口１３が配設されており、始動入賞口１１や大入賞口１２等に入賞せずに落下したアウト球を遊技盤５の背面側から機外に排出できるようになっている。
【００１４】
前枠２の前面上部側には、遊技盤５を視認可能なように透明なガラス板を備えたガラス扉１４が横向き開閉可能且つ着脱可能に取り付けられ、このガラス扉１４は、常には施錠装置４により遊技盤５の前面を覆うように閉鎖状態に保持されている。
【００１５】
前枠２の前面下部側であって、ガラス扉１４の下方には、球皿１５が横向き開閉可能且つ着脱可能に取り付けられ、球皿１５は、常には施錠装置（図示せず）により閉鎖状態に保持されている。この球皿１５には、前面側に膨出して球貯留部１６が形成されており、遊技中に払い出される遊技球をこの球貯留部１６に貯留可能となっている。また、球貯留部１６の正面右側下部には、発射ハンドル１７が前方に突出して取り付けられており、発射ハンドル１７を回転操作することにより、球貯留部１６から供給された遊技球が遊技領域７に発射されるようになっている。
【００１６】
前枠２の下部領域には遊技補助盤１８が形成されており、この遊技補助盤１８の各部には、遊技領域７内に遊技球を打球する打球駆動部１９、球皿１５に排出しきれない遊技球を一時的に貯留する貯留ケース２０、貯留ケース２０の出口に設けられた枠側シャッタ２１、遊技状態に応じて効果音を発生させる音響装置２２等がそれぞれ配設されている。
【００１７】
また、遊技補助盤１８と対峙する球皿１５の背面側には、図２に示すように、上記した遊技補助盤１８の各構成に対応した構成がそれぞれ配設されている。すなわち、打球駆動部１９に対応して球送り装置２３、貯留ケース２０に対応して貯留ケース視認窓２４、枠側シャッタ２１に対応して皿側シャッタ２５、音響装置２２に対応して音室２６等がそれぞれ配設されている。
【００１８】
一方、図３に示すように、前枠２の背面側には裏セット盤２７が複数（図３では５個）のレバー３８により着脱可能に設けられている。そして、裏セット盤２７の各部には、遊技島の球貯留装置（図示せず）からの予備賞球を貯留する貯留タンク２８、貯留タンク２８内に貯留された予備賞球を整列させて流下させる予備賞球案内流路２９、球圧を軽減して予備賞球を下方に流下させるカーブレール３０、賞球の払い出し処理を行う球払出装置３１、球払出装置３１から払い出された賞球を球皿１５に導く賞球排出経路３２がそれぞれ設けられている。そして、予備賞球案内流路２９の出口近傍には球切れ検出スイッチ４１（図４参照）が設けられ、球払出装置３１には払い出された賞球を計数可能な賞球カウントスイッチ４２（図４参照）が設けられている。
【００１９】
また、裏セット盤２７には、図３及び図４に示すように、パチンコ遊技機の動作を統括的に制御する主制御装置３３、画像表示装置８の裏側に位置して画像表示や音響装置２２の効果音の演出及び電飾装置４３の効果ランプ等の表示制御を行うサブ制御装置３４、球払出装置３１の払出モータ４４等の球払い出し動作を制御する払出制御装置３５、遊技球を所定の発射強度や発射タイミングで発射するように発射モータ４５等の発射動作を制御する発射制御装置３６、前記各種制御装置３３，３４，３５，３６及び電子部品に電力を供給する電源装置３７等がそれぞれ配設されており、サブ制御装置３４の制御により画像表示装置８の表示部９や電飾装置４３は、エラー表示部４６として機能可能なようになっている。
【００２０】
次に、図１〜図６を参照しつつ、本発明の実施の形態に係るパチンコ遊技機の作用について説明する。ここで、図５は遊技球を検出した時に入賞口検出スイッチが出力する検出信号を示す図、図６はコネクタを抜脱した時に入賞口検出スイッチが出力するエラー検出信号を示す図である。
【００２１】
遊技者が発射ハンドル１７を正面時計回り方向に回転させると、遊技球は、所定の割合で、球送り装置２３から打球駆動部１９に１球ずつ送り出され、遊技領域７に向かって発射される。そして、遊技領域７内に打ち出された遊技球が、始動入賞口１１に入賞すると、始動入賞口検出スイッチ３９は、その遊技球の入賞を検出し、図５に示すように、最低電位（ＭＩＮ）より残留電位分高いローレベル（Ｌ）状態から最大電位（ＭＡＸ）より残留電位分低いハイレベル（Ｈ）状態に電位が上昇する波形を有する検出信号を主制御装置３３に出力する。
【００２２】
主制御装置３３は、この検出信号に基づき、ハイレベル（Ｈ）状態の電位が閾値を超えており、しかも、最大電位（ＭＡＸ）より残留電位分低いことを検出すると、遊技球が始動入賞口１１に入賞したと判断し、抽選用の乱数を取得して大当りの抽選を行い、取得した乱数が大当り用の乱数か否かを判定する。そして、この取得した乱数が大当り用の乱数であると判定した場合には、その乱数の示す図柄を決定し、サブ制御装置３４に対して図柄表示の制御コマンドを出力する。サブ制御装置３４は、この制御コマンドに基づき、画像表示装置８の表示部９に、所要の図柄変動表示を行わせた後、その決定した図柄を停止表示させ、この結果、遊技は通常遊技から特別遊技（大当り遊技）に移行される。
【００２３】
このような過程を経て、特別遊技（大当り遊技）に突入すると、大入賞口１２が開放され、大入賞口１２に遊技球が入賞すると、大入賞口検出スイッチ４０は、その遊技球の入賞を検出し、図５に示すように、最低電位（ＭＩＮ）より残留電位分高いローレベル（Ｌ）状態から最大電位（ＭＡＸ）より残留電位分低いハイレベル（Ｈ）状態に電位が上昇する波形を有する検出信号を主制御装置３３に出力する。
【００２４】
主制御装置３３は、この検出信号に基づき、ハイレベル（Ｈ）の電位が閾値を超えており、しかも、最大電位（ＭＡＸ）より残留電位分低いことを検出すると、遊技球が大入賞口１２に入賞したと判断し、払出制御装置３５に対して球払い出しの制御コマンドを出力する。そして、払出制御装置３５は、この制御コマンドに基づき、遊技者に対して所定数の賞球を払い出し、所定の条件が成立した場合に、特別遊技は終了する。
【００２５】
一方、不正行為等により始動入賞口検出スイッチ３９又は大入賞口検出スイッチ４０のコネクタが抜脱された場合には、始動入賞口検出スイッチ３９又は大入賞口検出スイッチ４０は、図６に示すように、最低電位（ＭＩＮ）より残留電位分高いローレベル（Ｌ）状態から最大電位（ＭＡＸ）まで電位が上昇する波形を有するエラー検出信号を主制御装置３３に出力する。そして、主制御装置３３は、このエラー検出信号に基づき、電位がハイレベル（Ｈ）を超えて最大電位（ＭＡＸ）まで達していることを検出すると、コネクタが抜脱したと判断し、サブ制御装置３４に対して制御コマンドを出力し、サブ制御装置３４は、この制御コマンドに基づき、エラー表示部４６にエラー表示を出力する。
【００２６】
このように、始動入賞口検出スイッチ３９及び大入賞口検出スイッチ４０は、遊技球の入賞時と前記コネクタの抜脱時とでは異なる種類の検出信号を出力し、主制御装置３３はその検出信号に基づき、適切な処理を行うようになっている。すなわち、始動入賞口検出スイッチ３９又は大入賞口検出スイッチ４０のコネクタが抜脱された時には、主制御装置３３は、払出制御装置３５に対して球払い出しの制御コマンドを出力することがないため、遊技球が入賞装置に入賞していないのに誤って賞球を払い出すおそれはない。また、この時、主制御装置３３は、サブ制御装置３４に対して制御コマンドを出力し、遊技盤５の前面側においてエラー表示部４６にエラー表示を出力させ、コネクタの抜脱という異常動作を報知するため、店員等の管理者がその後の処置を迅速且つ適切に行うことができるようになる。
【００２７】
なお、上記した実施の形態では、遊技機の異常動作時、画像表示装置や電飾装置にエラー表示を出力させるようになっているが、このエラー表示の代わりに、或いは、このエラー表示と共に、サブ制御装置３４が音響装置２２にエラーメッセージ音声を出力させるように構成することもできる。
【００２８】
また、上記した実施の形態においては、本発明をパチンコ遊技機に適用した場合について説明したが、これは単なる例示に過ぎず、本発明は、スロットマシン等、他の遊技機にも適用可能であることは言う迄もない。
【図面の簡単な説明】
【００２９】
【図１】本発明の実施の形態に係るパチンコ遊技機を示す正面図である。
【図２】本発明の実施の形態に係るパチンコ遊技機の球皿を示す背面図である。
【図３】本発明の実施の形態に係るパチンコ遊技機を示す背面図である。
【図４】本発明の実施の形態に係るパチンコ遊技機の構成を示すブロック図である。
【図５】本発明の実施の形態に係るパチンコ遊技機において遊技球を検出した時に検出スイッチが出力する検出信号を示す図である。
【図６】本発明の実施の形態に係るパチンコ遊技機においてコネクタを抜脱した時に検出スイッチが出力するエラー検出信号を示す図である。
【符号の説明】
【００３０】
５            遊技盤
７            遊技領域
８            画像表示領域
９            表示部
１１          始動入賞口
１２          大入賞口
２２          音響装置
３３          主制御装置
３４          サブ制御装置
３９          始動入賞口検出スイッチ
４０          大入賞口検出スイッチ
４３          電飾装置
４６          エラー表示部
【図１】
2006271470.tif 000003
【図２】
2006271470.tif 000004
【図３】
2006271470.tif 000005
【図４】
2006271470.tif 000006
【図５】
2006271470.tif 000007
【図６】
2006271470.tif 000008